(57)【要約】      （修正有）【課題】作動流体の熱を発電及び貯湯槽の温水の加熱にそれぞれ効率的に利用することのできるランキンシステムを提供する。【解決手段】動力発生機２から流出した作動流体を三方弁７ａにより流路を切換えてバイパス流路７の第２の熱交換器８に流通させることにより、第２の熱交換器８を流通する作動流体によって暖房用の空気を加熱するようにしたので、発電及び暖房を行う場合は作動流体を凝縮器３に流通させることなく暖房用の空気を加熱することができ、作動流体の熱を発電及び暖房にそれぞれ効率的に利用することができる。その際、動力発生機２から流出した作動流体と蒸発器１側に流入する作動流体とを第１の熱交換器６によって熱交換するようにしたので、動力発生機２から流出した高温の作動流体によって蒸発器１側に流入する低温の作動流体を加熱することができ、蒸発器１における作動流体の再蒸発を促進することができる。【選択図】図１
2006169971.tif 000002
【特許請求の範囲】
【請求項１】
作動流体を所定の熱源により加熱して蒸発させる蒸発器と、蒸発器から流出する作動流体の膨張により動力を発生する動力発生機と、動力発生機から流出する作動流体を凝縮させる凝縮器と、凝縮器から流出する作動流体を吸入して蒸発器側に吐出するポンプとを備え、動力発生機によって発電機を駆動するとともに、作動流体の熱によって暖房用の空気を加熱するようにしたランキンシステムにおいて、
前記動力発生機から流出する作動流体と蒸発器に流入する作動流体とを熱交換する第１の熱交換器と、
一端側を動力発生機と凝縮器との間に接続され、他端側を凝縮器の流出側に接続されたバイパス流路と、
動力発生機から流出した作動流体を凝縮器側とバイパス流路側の何れか一方に流通させる流路切換弁と、
バイパス流路を流通する作動流体と暖房用の空気とを熱交換する第２の熱交換器とを備えた
ことを特徴とするランキンシステム。
【請求項２】
作動流体を所定の熱源により加熱して蒸発させる蒸発器と、蒸発器から流出する作動流体の膨張により動力を発生する動力発生機と、動力発生機から流出する作動流体を凝縮させる凝縮器と、凝縮器から流出する作動流体を吸入して蒸発器側に吐出するポンプとを備え、動力発生機によって発電機を駆動するとともに、作動流体の熱によって貯湯槽の温水を生成するようにしたランキンシステムにおいて、
前記動力発生機から流出する作動流体と蒸発器に流入する作動流体とを熱交換する第１の熱交換器と、
一端側を動力発生機と凝縮器との間に接続され、他端側を凝縮器の流出側に接続されたバイパス流路と、
動力発生機から流出した作動流体を凝縮器側とバイパス流路側の何れか一方に流通させる流路切換弁と、
バイパス流路を流通する作動流体と貯湯槽に流入する水とを熱交換する第２の熱交換器とを備えた
ことを特徴とするランキンシステム。
【請求項３】
前記熱交換器から貯湯槽に流入する水を加熱する補助加熱手段を備えた
ことを特徴とする請求項２記載のランキンシステム。
【請求項４】
前記流路切換弁を動力発生機の流出側とバイパス流路の流入側との間に設けた
ことを特徴とする請求項１、２または３記載のランキンシステム。
【請求項５】
前記流路切換弁を凝縮器の流出側とバイパス流路の流出側との間に設けた
ことを特徴とする請求項１、２または３記載のランキンシステム。
【請求項６】
作動流体を所定の熱源により加熱して蒸発させる蒸発器と、蒸発器から流出する作動流体の膨張により動力を発生する動力発生機と、動力発生機から流出する作動流体を凝縮させる凝縮器と、凝縮器から流出する作動流体を吸入して蒸発器側に吐出するポンプとを備え、動力発生機によって発電機を駆動するとともに、作動流体の熱によって暖房用の空気を加熱するようにしたランキンシステムにおいて、
前記動力発生機から流出する作動流体と蒸発器に流入する作動流体とを熱交換する第１の熱交換器と、
一端側を動力発生機と凝縮器との間に接続され、他端側を凝縮器の流出側に接続された第１のバイパス流路と、
動力発生機から流出した作動流体を凝縮器側と第１のバイパス流路側の何れか一方に流通させる第１の流路切換弁と、
第１のバイパス流路を流通する作動流体と暖房用の空気とを熱交換する第２の熱交換器と、
一端側を蒸発器と動力発生機との間に接続され、他端側を第２の熱交換器の流入側に接続された第２のバイパス流路と、
蒸発器から流出した作動流体を動力発生機側と第２のバイパス流路側の何れか一方に流通させる第２の流路切換弁とを備えた
ことを特徴とするランキンシステム。
【発明の詳細な説明】
【技術分野】
【０００１】
本発明は、例えば太陽光等の自然界で発生する熱、内燃機関やボイラの廃熱、工場廃熱等を熱源として利用することにより、発電及び給湯等を行うランキンシステムに関するものである。
【背景技術】
【０００２】
従来、この種のランキンシステムとしては、作動流体を所定の熱源により加熱して蒸発させる蒸発器と、蒸発器によって蒸発した作動流体の膨張により動力を発生するタービン等の動力発生機と、動力発生機から流出する作動流体を凝縮させる凝縮器と、凝縮器から流出する作動流体を吸入して蒸発器側に吐出するポンプとを備え、動力発生機によって発電機を駆動するとともに、凝縮器を流通する作動流体の熱により暖房用の空気の加熱、給湯用の温水の生成を行うようにしたものが知られている（例えば、特許文献１参照。）。
【特許文献１】特開２００４−６０５５０号公報
【発明の開示】
【発明が解決しようとする課題】
【０００３】
しかしながら、前記ランキンシステムでは、凝縮器を流通する作動流体が常に暖房用の空気または給湯用の温水と熱交換しているため、暖房または給湯を行わないときには凝縮後の作動流体の温度を無用に低下させ、システム全体の熱効率が低下するという問題点があった。
【０００４】
本発明は前記問題点に鑑みてなされたものであり、その目的とするところは、作動流体の熱を発電、暖房及び温水の生成にそれぞれ効率的に利用することのできるランキンシステムを提供することにある。
【課題を解決するための手段】
【０００５】
本発明は前記目的を達成するために、作動流体を所定の熱源により加熱して蒸発させる蒸発器と、蒸発器から流出する作動流体の膨張により動力を発生する動力発生機と、動力発生機から流出する作動流体を凝縮させる凝縮器と、凝縮器から流出する作動流体を吸入して蒸発器側に吐出するポンプとを備え、動力発生機によって発電機を駆動するとともに、作動流体の熱によって暖房用の空気を加熱するようにしたランキンシステムにおいて、前記動力発生機から流出する作動流体と蒸発器に流入する作動流体とを熱交換する第１の熱交換器と、一端側を動力発生機と凝縮器との間に接続され、他端側を凝縮器の流出側に接続されたバイパス流路と、動力発生機から流出した作動流体を凝縮器側とバイパス流路側の何れか一方に流通させる流路切換弁と、バイパス流路を流通する作動流体と暖房用の空気とを熱交換する第２の熱交換器とを備えている。
【０００６】
これにより、動力発生機から流出した作動流体を流路切換弁によりバイパス流路に流通させることにより、動力発生機から流出した作動流体が第２の熱交換器に流入し、暖房用の空気が第２の熱交換器の作動流体によって加熱されることから、暖房用の空気の加熱を行う場合は、作動流体を凝縮器に流通させることなく暖房用の空気を加熱することが可能となる。その際、蒸発器側に流入する作動流体が動力発生機から流出した作動流体と第１の熱交換器によって熱交換されることから、蒸発器側に流入する低温の作動流体が動力発生機から流出した高温の作動流体によって加熱される。
【０００７】
また、本発明は前記目的を達成するために、作動流体を所定の熱源により加熱して蒸発させる蒸発器と、蒸発器から流出する作動流体の膨張により動力を発生する動力発生機と、動力発生機から流出する作動流体を凝縮させる凝縮器と、凝縮器から流出する作動流体を吸入して蒸発器側に吐出するポンプとを備え、動力発生機によって発電機を駆動するとともに、作動流体の熱によって貯湯槽の温水を生成するようにしたランキンシステムにおいて、前記動力発生機から流出する作動流体と蒸発器に流入する作動流体とを熱交換する第１の熱交換器と、一端側を動力発生機と凝縮器との間に接続され、他端側を凝縮器の流出側に接続されたバイパス流路と、動力発生機から流出した作動流体を凝縮器側とバイパス流路側の何れか一方に流通させる流路切換弁と、バイパス流路を流通する作動流体と貯湯槽に流入する水とを熱交換する第２の熱交換器とを備えている。
【０００８】
これにより、動力発生機から流出した作動流体を流路切換弁によりバイパス流路に流通させることにより、動力発生機から流出した作動流体が第２の熱交換器に流入し、貯湯槽に流入する水が第２の熱交換器の作動流体によって加熱されることから、貯湯槽の温水の加熱を行う場合は、作動流体を凝縮器に流通させることなく貯湯槽に流入する水を加熱することが可能となる。その際、蒸発器側に流入する作動流体が動力発生機から流出した作動流体と第１の熱交換器によって熱交換されることから、蒸発器側に流入する低温の作動流体が動力発生機から流出した高温の作動流体によって加熱される。
【０００９】
また、本発明は前記目的を達成するために、作動流体を所定の熱源により加熱して蒸発させる蒸発器と、蒸発器から流出する作動流体の膨張により動力を発生する動力発生機と、動力発生機から流出する作動流体を凝縮させる凝縮器と、凝縮器から流出する作動流体を吸入して蒸発器側に吐出するポンプとを備え、動力発生機によって発電機を駆動するとともに、作動流体の熱によって暖房用の空気を加熱するようにしたランキンシステムにおいて、前記動力発生機から流出する作動流体と蒸発器に流入する作動流体とを熱交換する第１の熱交換器と、一端側を動力発生機と凝縮器との間に接続され、他端側を凝縮器の流出側に接続された第１のバイパス流路と、動力発生機から流出した作動流体を凝縮器側と第１のバイパス流路側の何れか一方に流通させる第１の流路切換弁と、第１のバイパス流路を流通する作動流体と暖房用の空気とを熱交換する第２の熱交換器と、一端側を蒸発器と動力発生機との間に接続され、他端側を第２の熱交換器の流入側に接続された第２のバイパス流路と、蒸発器から流出した作動流体を動力発生機側と第２のバイパス流路側の何れか一方に流通させる第２の流路切換弁とを備えている。
【００１０】
これにより、動力発生機から流出した作動流体を第１の流路切換弁により第１のバイパス流路に流通させることにより、動力発生機から流出した作動流体が第２の熱交換器に流入し、暖房用の空気が第２の熱交換器の作動流体によって加熱されることから、暖房用の空気の加熱を行う場合は、作動流体を凝縮器に流通させることなく暖房用の空気を加熱することが可能となる。その際、蒸発器側に流入する作動流体が動力発生機から流出した作動流体と第１の熱交換器によって熱交換されることから、蒸発器側に流入する低温の作動流体が動力発生機から流出した高温の作動流体によって加熱される。また、蒸発器から流出した作動流体を第２の流路切換弁により第２のバイパス流路に流通させることにより、蒸発器から流出した作動流体が第２の熱交換器に流入することから、暖房用の空気が蒸発器から流出する高温の作動流体によって加熱される。
【発明の効果】
【００１１】
本発明によれば、作動流体の熱によって暖房用の空気を加熱する場合、作動流体を凝縮器に流通させることなく暖房用の空気を加熱することができるので、作動流体の熱を発電及び暖房用の空気の加熱にそれぞれ効率的に利用することができる。その際、動力発生機から流出した高温の作動流体によって蒸発器側に流入する低温の作動流体を加熱することができるので、蒸発器における作動流体の再蒸発を促進することができる。
【００１２】
また、本発明によれば、作動流体の熱によって貯湯槽に流入する水を加熱する場合、作動流体を凝縮器に流通させることなく貯湯槽に流入する水を加熱することができるので、作動流体の熱を発電及び貯湯槽の温水の加熱にそれぞれ効率的に利用することができる。その際、動力発生機から流出した高温の作動流体によって蒸発器側に流入する低温の作動流体を加熱することができるので、蒸発器における作動流体の再蒸発を促進することができる。
【００１３】
また、本発明によれば、発電を行わずに暖房用の空気を加熱する場合、暖房用の空気を高温の作動流体によって加熱することができるので、作動流体から十分な熱量を得ることができる。
【発明を実施するための最良の形態】
【００１４】
図１は本発明の第１の実施形態を示すもので、ランキンシステムの概略構成図である。
【００１５】
このランキンシステムは、作動流体を蒸発させる蒸発器１と、蒸発器１から流出する作動流体の膨張により動力を発生する動力発生機２と、動力発生機２から流出する作動流体を凝縮させる凝縮器３と、凝縮器３から流出した作動流体を受容する受液器４と、受液器４側から作動流体を吸入して蒸発器１側に吐出するポンプ５と、動力発生機２から流出する作動流体と蒸発器１に流入する作動流体とを熱交換する第１の熱交換器６と、動力発生機２の流出側回路から分岐するバイパス流路７と、バイパス流路７を流通する作動流体と暖房用の空気とを熱交換する第２の熱交換器８とを備え、動力発生機２によって発電機Ｇを駆動するとともに、作動流体の熱によって暖房用の空気を加熱するようにようになっている。
【００１６】
蒸発器１は、内部を流通する作動流体を所定の熱源（例えば太陽光等の自然エネルギー、工場廃熱等）によって蒸発させるように構成され、熱源としては、例えば太陽光等の自然エネルギー、工場廃熱等が用いられる。また、作動流体には、例えばフロン（Ｒ２４５ｆａ等）が用いられる。
【００１７】
動力発生機２はタービン、スクロール型膨張機等の周知の機器からなり、作動流体の流入側を蒸発器１の流出側に接続されるとともに、その回転軸を発電機Ｇに連結されている。
【００１８】
凝縮器３は、内部を流通する作動流体を外気との熱交換によって凝縮させるように構成され、その近傍には外気送風用の送風機３ａが設けられている。
【００１９】
受液器４は、内部に流入した作動流体を気体と液体に分離するように構成され、液状の作動流体をポンプ５側に流出するようになっている。
【００２０】
ポンプ５は作動流体を圧送する周知の機器からなり、蒸発器１の流入側と受液器４の流出側との間に設けられている。
【００２１】
第１の熱交換器６は動力発生機２の流出側回路と蒸発器１の流入側回路に設けられ、動力発生機２から流出する作動流体と蒸発器１に流入する作動流体とを互いに熱交換させるように構成されている。
【００２２】
バイパス流路７は一端を動力発生機２の流出側（第１の熱交換器６の流出側）と凝縮器３との間の流路に接続され、その他端は凝縮器３と受液器４との間の流路に接続されている。動力発生機２の流出側とバイパス流路７の流入側との間には流路切換弁としての三方弁７ａが設けられ、三方弁７ａによって流路を切換えることにより、動力発生機２から流出した作動流体を凝縮器３側とバイパス流路７側の何れか一方に流通させるようになっている。
【００２３】
第２の熱交換器８はバイパス流路７に設けられ、バイパス流路７を流通する作動流体と暖房用の空気とを互いに熱交換させるように構成されている。この場合、第２の熱交換器８によって加熱された空気は送風機８ａによって所定の暖房空間（図示せず）に供給されるようになっている。
【００２４】
本実施形態のランキンシステムにおいて発電のみを行う場合は、三方弁７ａによって動力発生機２の流出側を凝縮器３の流入側に連通する。これにより、蒸発器１で加熱されて蒸発した作動流体が動力発生機２に流入し、動力発生機２内で膨張する。その際、動力発生機２が作動流体の膨張により回転し、動力発生機２によって発電機Ｇが駆動される。動力発生機２から流出した作動流体は凝縮器３に流入して凝縮し、凝縮器３から流出した作動流体は受液器４を介してポンプ５に吸入されるとともに、ポンプ５によって蒸発器１側に吐出される。その際、蒸発器１側に流入する作動流体は、動力発生機２から流出した作動流体と第１の熱交換器６によって熱交換された後、蒸発器１に流入して再び蒸発する。
【００２５】
また、前記ランキンシステムにおいて発電及び暖房を行う場合は、三方弁７ａによって動力発生機２の流出側をバイパス流路７に連通する。これにより、動力発生機２から流出した作動流体がバイパス流路７を流通し、凝縮器３を介さずに受液器４に流入する。その際、バイパス流路７を流通する作動流体が第２の熱交換器８を介して暖房用の空気と熱交換され、暖房用の空気が作動流体により加熱されて所定の暖房空間へ供給される。
【００２６】
このように、本実施形態のランキンシステムによれば、動力発生機２から流出した作動流体を三方弁７ａにより流路を切換えてバイパス流路７の第２の熱交換器８に流通させることにより、第２の熱交換器８を流通する作動流体によって暖房用の空気を加熱するようにしたので、発電及び暖房を行う場合は作動流体を凝縮器３に流通させることなく暖房用の空気を加熱することができ、作動流体の熱を発電及び暖房にそれぞれ効率的に利用することができる。その際、動力発生機２から流出した作動流体と蒸発器１側に流入する作動流体とを第１の熱交換器６によって熱交換するようにしたので、動力発生機２から流出した高温の作動流体によって蒸発器１側に流入する低温の作動流体を加熱することができ、蒸発器１における作動流体の再蒸発を促進することができる。
【００２７】
また、作動流体の流路をバイパス流路７側に切換える三方弁７ａを動力発生機２の流出側とバイパス流路７の流入側との間に設けたので、バイパス流路７の流入側を動力発生機２の流出側に確実に連通することができる。
【００２８】
図２は本発明の第２の実施形態を示すもので、ランキンシステムの概略構成図である。尚、第１の実施形態と同等の構成部分には同一の符号を付して示す。
【００２９】
本実施形態のランキンシステムは、第１の実施形態の三方弁７ａに代わる流路切換弁として、凝縮器３の流出側とバイパス流路７の流出側との間に設けられた三方弁７ｂを備えている。これにより、凝縮器３及びバイパス流路７の流出側は動力発生機２の流出側よりも作動流体の温度が低いため、三方弁７ｂとして耐熱性の高い高価なものを用いる必要がなく、低コスト化を図ることができる。
【００３０】
図３は本発明の第３の実施形態を示すもので、ランキンシステムの概略構成図である。尚、第１の実施形態と同等の構成部分には同一の符号を付して示す。
【００３１】
本実施形態のランキンシステムは、バイパス流路７を流通する作動流体と貯湯槽Ｈに流入する水とを熱交換する第２の熱交換器９と、貯湯槽Ｈの水を第２の熱交換器９に循環する水回路１０と、第２の熱交換器９から貯湯槽Ｈに流入する水を加熱する加熱器１１とを備えている。
【００３２】
第２の熱交換器９はバイパス流路７及び水回路１０に設けられ、バイパス流路７を流通する作動流体と水回路１０の水とを互いに熱交換させるように構成されている。
【００３３】
水回路１０は第２の熱交換器９及び貯湯槽Ｈに接続され、貯湯槽Ｈ内の水をポンプ１０ａによって第２の熱交換器９に循環するようになっている。また、貯湯槽Ｈには給水管１２を介して外部から水道水が供給されるとともに、貯湯槽Ｈ内の温水は給湯管１３から任意に吐出されるようになっている。
【００３４】
加熱器１１は補助加熱手段としての電気ヒータ１１ａを有し、内部を流通する水回路１０の水を電気ヒータ１１ａによって加熱するようになっている。
【００３５】
本実施形態のランキンシステムにおいて発電のみを行う場合は、三方弁７ａによって動力発生機２の流出側を凝縮器３の流入側に連通することにより、第１の実施形態と同様、動力発生機２が作動流体の膨張により回転し、動力発生機２によって発電機Ｇが駆動される。その際、動力発生機２から流出した作動流体は凝縮器３に流入し、凝縮器３によって凝縮する。
【００３６】
また、前記ランキンシステムにおいて発電及び給湯を行う場合は、三方弁７ａによって動力発生機２の流出側をバイパス流路７に連通する。これにより、動力発生機２から流出した作動流体がバイパス流路７を流通し、凝縮器３を介さずに受液器４に流入する。その際、バイパス流路７を流通する作動流体が第２の熱交換器９を介して水回路１０の水と熱交換され、水回路１０の水が作動流体により加熱されて貯湯槽Ｈ内に温水として貯えられる。また、加熱器１１の電気ヒータ１１ａを作動することにより、貯湯槽Ｈに流入する水が電気ヒータ１１ａによっても加熱される。
【００３７】
このように、本実施形態のランキンシステムによれば、動力発生機２から流出した作動流体を三方弁７ａにより流路を切換えてバイパス流路７の第１の熱交換器９に流通させることにより、第１の熱交換器９を流通する作動流体によって水回路１０の水を加熱するようにしたので、発電及び給湯を行う場合は作動流体を凝縮器３に流通させることなく水回路１０の水を加熱することができ、作動流体の熱を発電及び給湯にそれぞれ効率的に利用することができる。
【００３８】
また、作動流体の流路をバイパス流路７側に切換える三方弁７ａを動力発生機２の流出側とバイパス流路７の流入側との間に設けたので、バイパス流路７の流入側を動力発生機２の流出側に確実に連通することができる。
【００３９】
更に、貯湯槽Ｈに流入する水を加熱器１１の電気ヒータ１１ａによって加熱することができるので、バイパス流路７を流通する作動流体の熱量が不足する場合でも、貯湯槽Ｈの温水を電気ヒータ１１ａによって必要な温度まで加熱することができる。
【００４０】
図４は本発明の第４の実施形態を示すもので、ランキンシステムの概略構成図である。尚、第３の実施形態と同等の構成部分には同一の符号を付して示す。
【００４１】
本実施形態のランキンシステムは、第３の実施形態の三方弁７ａに代わる流路切換弁として、凝縮器３の流出側とバイパス流路７の流出側との間に設けられた三方弁７ｂを備えている。これにより、凝縮器３及びバイパス流路７の流出側は動力発生機２の流出側よりも作動流体の温度が低いため、三方弁７ｂとして耐熱性の高い高価なものを用いる必要がなく、低コスト化を図ることができる。
【００４２】
図５は本発明の第５の実施形態を示すもので、ランキンシステムの概略構成図である。尚、第１の実施形態と同等の構成部分には同一の符号を付して示す。
【００４３】
本実施形態のランキンシステムは、動力発生機２の流出側回路から分岐する第１のバイパス流路１４と、蒸発器１の流出側回路から分岐する第２のバイパス流路１５とを備え、第１のバイパス流路１４には前記第２の熱交換器８が設けられている。
【００４４】
第１のバイパス流路１４は第１の実施形態と同様、一端を動力発生機２の流出側と凝縮器３との間の流路に接続され、その他端は凝縮器３と受液器４との間の流路に接続されている。動力発生機２の流出側と第１のバイパス流路１４の流入側との間には第１の流路切換弁としての第１の三方弁１４ａが設けられ、第１の三方弁１４ａによって流路を切換えることにより、動力発生機２から流出した作動流体を凝縮器３側と第１のバイパス流路１４側の何れか一方に流通させるようになっている。
【００４５】
第２のバイパス流路１５は一端を蒸発器１と動力発生機２との間の流路に接続され、その他端は第１のバイパス流路１４における第２の熱交換器８の流入側に接続されている。蒸発器１の流出側と動力発生機２の流入側との間には第２の流路切換弁としての第２の三方弁１５ａが設けられ、第２の三方弁１５ａによって流路を切換えることにより、蒸発器１から流出した作動流体を動力発生機２側と第２のバイパス流路１５側の何れか一方に流通させるようになっている。また、第２のバイパス流路１５における第２の熱交換器８の流入側には膨張弁１５ｂが設けられている。
【００４６】
本実施形態のランキンシステムにおいて発電のみを行う場合は、第１の三方弁１４ａによって動力発生機２の流出側を凝縮器３の流入側に連通することにより、第１の実施形態と同様、動力発生機２が作動流体の膨張により回転し、動力発生機２によって発電機Ｇが駆動される。その際、動力発生機２から流出した作動流体は凝縮器３に流入し、凝縮器３によって凝縮する。
【００４７】
また、前記ランキンシステムにおいて発電及び暖房を行う場合は、第１の三方弁１４ａによって動力発生機２の流出側を第１のバイパス流路１４に連通する。これにより、動力発生機２から流出した作動流体が第１のバイパス流路１４を流通し、凝縮器３を介さずに受液器４に流入する。その際、第１のバイパス流路１４を流通する作動流体が第２の熱交換器８を介して暖房用の空気と熱交換され、暖房用の空気が作動流体によって加熱される。
【００４８】
更に、前記ランキンシステムにおいて暖房のみを行う場合は、第２の三方弁１５ａによって蒸発器１の流出側を第２のバイパス流路１５に連通する。これにより、蒸発器１から流出した作動流体が第２のバイパス流路１５を流通し、動力発生機２及び凝縮器３を介さずに第２の熱交換器８に流入する。その際、第２の熱交換器８を流通する作動流体によって暖房用の空気が加熱される。
【００４９】
このように、本実施形態のランキンシステムによれば、蒸発器１から流出した作動流体を第２の三方弁１５ａにより流路を切換えて第２のバイパス流路１５に流通させ、第２のバイパス流路１５から第２の熱交換器８に流通させることにより、第２の熱交換器８を流通する作動流体によって暖房用の空気を加熱するようにしたので、暖房を行う場合は作動流体を動力発生機２及び凝縮器３に流通させることなく暖房用の空気を加熱することができ、作動流体の熱を発電及び暖房にそれぞれ効率的に利用することができる。その際、暖房用の空気を蒸発器１から流出する高温の作動流体によって加熱することができるので、暖房用の空気を加熱する際、作動流体から十分な熱量を得ることができる。
【図面の簡単な説明】
【００５０】
【図１】本発明の第１の実施形態を示すランキンシステムの概略構成図
【図２】本発明の第２の実施形態を示すランキンシステムの概略構成図
【図３】本発明の第３の実施形態を示すランキンシステムの概略構成図
【図４】本発明の第４の実施形態を示すランキンシステムの概略構成図
【図５】本発明の第５の実施形態を示すランキンシステムの概略構成図
【符号の説明】
【００５１】
１…蒸発器、２…動力発生機、３…凝縮器、５…ポンプ、６…第１の熱交換器、７…バイパス回路、７ａ，７ｂ…三方弁、８…第２の熱交換器、１１ａ…電気ヒータ、１４…第１のバイパス回路、１４ａ，１４ｃ…第１の三方弁、１５…第２のバイパス回路、１５ａ…第２の三方弁、Ｇ…発電機、Ｈ…貯湯槽。
【図１】
2006169971.tif 000003
【図２】
2006169971.tif 000004
【図３】
2006169971.tif 000005
【図４】
2006169971.tif 000006
【図５】
2006169971.tif 000007